(57)【要約】【課題】曲線区間においても、プレキャストボックスどうしを連結可能なプレキャストボックスどうしの連結構造を提供する。【解決手段】プレキャストコンクリートで形成され、少なくとも一端が開口したプレキャストボックス１どうしの開口１４側を対向させ隙間Ｓを有して配置されたプレキャストボックスどうしの連結構造であって、隣接するプレキャストボックス１にまたがって配置された鋼材２と、隣接するプレキャストボックス１の隙間Ｓに充填されたグラウト材３と、を備え、鋼材２には緊張力が導入されていないことを特徴とする。【選択図】図１
2019039195.tif 000002
【特許請求の範囲】
【請求項１】
プレキャストコンクリートで形成され、少なくとも一端が開口したプレキャストボックスどうしの開口側を対向させ隙間を有して配置されたプレキャストボックスどうしの連結構造であって、
隣接する前記プレキャストボックスにまたがって配置された鋼材と、
隣接する前記プレキャストボックスの前記隙間に充填されたグラウト材と、を備え、
前記鋼材には緊張力が導入されていないことを特徴とするプレキャストボックスどうしの連結構造。
【請求項２】
前記プレキャストボックスどうしは、平面視曲線状に配置されていることを特徴とする請求項１に記載のプレキャストボックスどうしの連結構造。
【請求項３】
隣接する前記プレキャストボックスの前記隙間には、充填された前記グラウト材よりも前記プレキャストボックスの内面側に、可とう継手が設けられていることを特徴とする請求項１または２に記載のプレキャストボックスどうしの連結構造。
【発明の詳細な説明】
【技術分野】
【０００１】
本発明は、プレキャストボックスどうしの連結構造に関するものである。
【背景技術】
【０００２】
従来から、排水用管路や地下道等は、プレキャストコンクリートで形成されたプレキャストボックスを多数隣接配置して構成されていることがある（下記特許文献１参照）。
【０００３】
例えば、プレキャストボックスに連結用孔が形成されていて、隣接するプレキャストボックスの連結用孔が連通するように、プレキャストボックスを隣接配置する。連結用孔内にＰＣ鋼棒が配置され、ＰＣ鋼棒に緊張力が導入された状態で、プレキャストボックスどうしが連結されている。
【先行技術文献】
【特許文献】
【０００４】
【特許文献１】特開２００７−２０５５１７号公報
【発明の概要】
【発明が解決しようとする課題】
【０００５】
ここで、ＰＣ鋼棒によりプレキャストボックスどうしを連結するには、平面視で直線に沿って配置された直線区間のプレキャストボックスどうしならば適切に連結できる。しかしながら、平面視で曲線に沿って配置された曲線区間では、緊張力を維持しながらＰＣ鋼棒を曲線区間に沿って湾曲させると、ＰＣ鋼棒に折れ曲がりが生じたり、緊張力がＰＣ鋼棒のある部分に過度に作用してしまったりし、ＰＣ鋼棒による適切な連結ができないという問題点がある。
【０００６】
そこで、本発明は、上記事情に鑑みてなされたものであり、鋼材を用いて、プレキャストボックスどうしを連結可能なプレキャストボックスどうしの連結構造を提供する。
【課題を解決するための手段】
【０００７】
上記目的を達成するために、本発明は以下の手段を採用している。
すなわち、本発明に係るプレキャストボックスどうしの連結構造は、プレキャストコンクリートで形成され、少なくとも一端が開口したプレキャストボックスどうしの開口側を対向させ隙間を有して配置されたプレキャストボックスどうしの連結構造であって、隣接する前記プレキャストボックスにまたがって配置された鋼材と、隣接する前記プレキャストボックスの前記隙間に充填されたグラウト材と、を備え、前記鋼材には緊張力が導入されていないことを特徴とする。
【０００８】
このように構成されたプレキャストボックスどうしの連結構造では、複数のプレキャストボックスは隙間を有して隣接配置され、隣接するプレキャストボックスにまたがって鋼材が配置されている。隣接するプレキャストボックスは、緊張力が導入されていない鋼材及び隙間に充填されたグラウト材により連結される。よって、鋼材を用いて、プレキャストボックスどうしを連結することができる。
【０００９】
また、本発明に係るプレキャストボックスどうしの連結構造は、前記プレキャストボックスどうしは、平面視曲線状に配置されていてもよい。
【００１０】
このように構成されたプレキャストボックスどうしの連結構造では、緊張力が導入されていないため、曲線区間においても、鋼材を湾曲させて、プレキャストボックスどうしを連結することができる。
【００１１】
また、本発明に係るプレキャストボックスどうしの連結構造は、隣接する前記プレキャストボックスの前記隙間には、充填された前記グラウト材よりも前記プレキャストボックスの内面側に、可とう継手が設けられていてもよい。
【００１２】
このように構成されたプレキャストボックスどうしの連結構造では、隣接するプレキャストボックスの隙間には、グラウト材よりも内面側に、可とう継手が設けられている。よって、隣接するプレキャストボックスに地震等により変位があっても、可とう継手が隙間を適切に塞ぐため、耐震性、止水性等を高めることができる。
【発明の効果】
【００１３】
本発明に係るプレキャストボックスどうしの連結構造によれば、曲線区間においても、プレキャストボックスどうしを連結することができる。
【図面の簡単な説明】
【００１４】
【図１】本発明の一実施形態に係るプレキャストボックスどうしの連結構造を示す模式的な平面図である。
【図２】本発明の一実施形態に係るプレキャストボックスどうしの連結構造を示す模式的な斜視図である。
【図３】図１のＡ−Ａ線断面図である。
【発明を実施するための形態】
【００１５】
本発明の一実施形態に係るプレキャストボックスどうしの連結構造について、図面を用いて説明する。
図１は、本発明の一実施形態に係るプレキャストボックスどうしの連結構造を示す模式的な平面図である。図２は、本発明の一実施形態に係るプレキャストボックスどうしの連結構造を示す模式的な斜視図である。
図１及び図２に示すように、本実施形態では、プレキャスト部材で構成されたプレキャストボックス（ボックスカルバート）１が複数隣接配置され、隣接するプレキャストボックス１どうしは後述する連結構造１０で連結されている。
なお、以下の説明において、プレキャストボックス１が隣接配置される方向を「並び方向Ｘ」と称することがある。
【００１６】
プレキャストボックス１は、両端部が開放された筒状をなしている。具体的には、平面視矩形状に形成された底板１１と、底板１１と対向配置された天板１２と、底板１１と天板１２とを連結する一対の側壁１３と、を有している。底版、天板１２及び一対の側壁１３のそれぞれ両端部側には、外方に向けて開口した開口部（開口）１４が形成されている。
【００１７】
プレキャストボックス１は、工場等で製造されたプレキャストコンクリートで形成されている。プレキャストコンクリートは、工場等で、不図示の型枠内に鉄筋が配筋され、型枠内にコンクリートが打設されて形成される。
【００１８】
隣接するプレキャストボックス１は、互いに、開口部１４を対向させ、且つ隙間Ｓを有して配置されている。本実施形態では、隙間Ｓは、約２０ｍｍ程度とされている。
【００１９】
平面視で、プレキャストボックス１は、各側壁１３が円弧状に沿って形成されている。プレキャストボックス１が複数配置されると、並び方向Ｘが平面視円弧状（曲線状）をなした曲線区間を構成している。
【００２０】
底板１１と側壁１３とにより形成される隅部、及び天板１２と側壁１３とにより形成される隅部には、並び方向Ｘに沿って貫通孔（不図示）が形成されている。
【００２１】
貫通孔は、隣接するプレキャストボックス１どうしで連通するように形成されている。貫通孔には、ＰＣ鋼棒（鋼材）２が配置されている。換言すると、ＰＣ鋼棒２は、隣接するプレキャストボックス１にまたがって配置されている。
【００２２】
例えば、ＰＣ鋼棒２の端部は、プレキャストボックス１の底板１１及び天板１２等に形成された定着用穴２１内において、端部どうしが締結具（不図示）等により接続されたり、ＰＣ鋼より線（不図示）を外嵌するスリーブ（不図示）がアンカープレート（不図示）に固定されている。
【００２３】
ＰＣ鋼棒２には、緊張力が導入されていない。貫通孔内にはグラウト材（不図示）が充填され、ＰＣ鋼棒２はグラウト材３に埋設されている。
【００２４】
図３は、図１のＡ−Ａ線断面図である。
図３に示すように、隣接するプレキャストボックス１間に形成された隙間Ｓには、グラウト材３が充填されている。グラウト材３は、プレキャストボックス１の外面１ａに沿って環状に設けられている。充填されたグラウト材３により、目地が構成されるとともに、プレキャストボックス１どうしが一体化されている。
【００２５】
プレキャストボックス１間に形成された隙間Ｓから隙間Ｓを挟んで両側のプレキャストボックス１の内面１ｂにまたがって、ゴムや合成樹脂等からなる可とう継手４が設けられている。可とう継手４は、プレキャストボックス１の内面１ｂに沿って環状に設けられている。可とう継手４は、各プレキャストボックス１にボルト４１等で固定されている。
本実施形態では、緊張力が導入されていないＰＣ鋼棒２と、グラウト材３とにより、プレキャストボックス１どうしの連結構造１０が構成されている。
【００２６】
このように構成されたプレキャストボックスどうしの連結構造１０では、複数のプレキャストボックス１は隙間Ｓを有して隣接配置され、隣接するプレキャストボックス１にまたがってＰＣ鋼棒２が配置されている。隣接するプレキャストボックス１は、緊張力が導入されていないＰＣ鋼棒２及び隙間Ｓに充填されたグラウト材３により連結される。よって、緊張力が導入されていないため、曲線区間においても、ＰＣ鋼棒２を湾曲させて、プレキャストボックス１どうしを連結することができる。したがって、曲線区間において、施工の省力化、現場工期短縮等を図ることができる。
【００２７】
また、ＰＣ鋼棒２には緊張力が導入されていないため、隣接するプレキャストボックス１の隙間Ｓに充填されたグラウト材３（目地）により、プレキャストボックス１設置時の誤差を調整することができる。
【００２８】
また、隣接するプレキャストボックス１の隙間Ｓには、グラウト材３よりもプレキャストボックス１の内面１ｂ側に、可とう継手４が設けられている。よって、隣接するプレキャストボックス１に地震等により変位があっても、可とう継手４が隙間Ｓを適切に塞ぐため、耐震性、止水性等を高めることができる。
【００２９】
なお、上述した実施の形態において示した組立手順、あるいは各構成部材の諸形状や組み合わせ等は一例であって、本発明の主旨から逸脱しない範囲において設計要求等に基づき種々変更可能である。
【００３０】
例えば、上記に示す実施形態では、プレキャストボックス１の並び方向Ｘは、平面視円弧状をなした曲線区間であるが、本発明はこれに限られず、並び方向Ｘが平面視直線状をなした直線区間にも適用可能である。
【００３１】
また、上記に示す実施形態では、プレキャストボックス１の側壁１３が平面視円弧状に沿って形成されて、並び方向Ｘが曲線区間をなしているが、本発明はこれに限られない。側壁１３が平面視直線状に沿って形成されていて、プレキャストボックス１の一方側の側壁１３の長さが他方側の側壁１３の長さよりも短く形成され、これらのプレキャストボックス１が一方側を内周側に他方側を外周側に向けて隣接配置され、全体として並び方向Ｘが曲線区間をなしていてもよい。
【００３２】
また、上記に示す実施形態では、鋼材としてＰＣ鋼材が採用されているが、本発明はこれに限られず、鉄筋であってもよい。
【符号の説明】
【００３３】
１…プレキャストボックス
２…ＰＣ鋼棒（鋼材）
３…グラウト材
４…可とう継手
１０…プレキャストボックスどうしの連結構造連結構造
１１…底板
１２…天板
１３…側壁
１４…開口部（開口）
Ｓ…隙間
Ｘ…並び方向
【図１】
2019039195.tif 000003
【図２】
2019039195.tif 000004
【図３】
2019039195.tif 000005